(57)【要約】【課題】観察者の年齢に対する視機能の変化や観察者間の好みの違い、視聴条件を考慮した最適な表示輝度制御を行う。【解決手段】表示装置１００における輝度制御部６は、表示画面に表示される映像の映像ソースである映像信号から平均輝度レベルを算出する平均輝度レベル演算部２１と、第１の最大表示輝度と第２の最大表示輝度とを下限および上限としてその間の値を複数に分割した複数の輝度制御レベルそれぞれに対応付けられた任意の設定値を受け付ける設定値受付部２２と、画面照度と平均輝度レベルと上記設定値とから表示画面の最大表示輝度を決定する最大表示輝度演算部２３と、最大表示輝度演算部２３で決定された最大表示輝度から、表示画面の最大表示輝度が最大表示輝度演算部２３で決定された最大表示輝度となるように光源３に与える出力値を決定する光源出力演算部２４とを備えている。【選択図】図１
2013250284.tif 000002
【特許請求の範囲】
【請求項１】
表示部と、
上記表示部の表示画面に光を照射する光源と、
上記表示画面の画面照度を検出する画面照度検出部と、
上記光源の出力値を変化させることで上記表示画面の表示輝度を制御する輝度制御部と、
上記輝度制御部の出力値に基づいて上記光源を駆動する光源駆動回路と、を備えた表示装置であって、
上記輝度制御部は、
上記表示画面に表示される映像の映像ソースである映像信号から平均輝度レベルを算出する平均輝度レベル演算部と、
第１の最大表示輝度をＬｙとし、第２の最大表示輝度をＬｏとすると、上記ＬｙとＬｏとを下限および上限として上記ＬｙとＬｏとの間の値をｍ個（但し、ｍは正の整数を示す）に分割した複数の輝度制御レベルそれぞれに対応付けられた任意の設定値ｎ（但し、ｎは正の整数であってｎ＝１〜ｍを示す）を受け付ける設定値受付部と、
若年者向け最大表示輝度（ｃｄ／ｍ２）をＰＬｙとし、高齢者向け最大表示輝度（ｃｄ／ｍ２）をＰＬｏとし、上記表示画面の最大表示輝度をＬｎとすると、
画面照度と平均輝度レベルと観視画角とから決定され、観視画角を予め設定された値に固定することで画面照度と平均輝度レベルとをパラメータとする、若年者向け最大表示輝度および高齢者向け最大表示輝度と、上記画面照度検出部で検出した画面照度と、上記平均輝度レベル演算部で算出した平均輝度レベルと、上記設定値受付部で受け付けた設定値ｎとから、次式（１）
Ｌｎ＝Ｌｙ＋ｎ（Ｌｏ−Ｌｙ）／ｍ…（１）
（但し、Ｌｙ＝ＰＬｙ／２〜ＰＬｙ、Ｌｏ＝ＰＬｏ〜２ＰＬｏ）
に基づいて上記表示画面の最大表示輝度を決定する最大表示輝度演算部と、
上記最大表示輝度演算部で決定された最大表示輝度から、上記表示画面の最大表示輝度が上記最大表示輝度演算部で決定された最大表示輝度となるように、上記光源に与える出力値を決定する光源出力演算部と、
を備えていることを特徴とする表示装置。
【請求項２】
上記若年者向け最大表示輝度および高齢者向け最大表示輝度は、画面照度と平均輝度レベルと観視画角とから若年者向け最大表示輝度と高齢者向け最大表示輝度とを求める、主観評価実験から導出された式によって定義されることを特徴とする請求項１に記載の表示装置。
【請求項３】
画面照度（ｌｘ）をＥとし、平均輝度レベル（％）をＡＬＬとし、観視画角（度）をＳＡとすると、上記主観評価実験から導出される式として、次式（２）、（３）
ｌｏｇＰＬｙ＝０．２７ｌｏｇＥ−０．３２ｌｏｇＡＬＬ−０．２２ｌｏｇＳＡ＋２．４０…（２）
ｌｏｇＰＬｏ＝０．１３ｌｏｇＥ−０．２１ｌｏｇＡＬＬ−０．３４ｌｏｇＳＡ＋２．８７…（３）
を用いることを特徴とする請求項２に記載の表示装置。
【請求項４】
上記観視画角は、実地調査および主観評価実験の結果に基づいて予め設定されることを特徴とする請求項１〜３の何れか１項に記載の表示装置。
【請求項５】
画面照度（ｌｘ）をＥとし、平均輝度レベル（％）をＡＬＬとすると、
上記若年者向け最大表示輝度および高齢者向け最大表示輝度は、上記観視画角を２０度とし、次式（４）、（５）
ｌｏｇＰＬｙ＝０．２７ｌｏｇＥ−０．３２ｌｏｇＡＬＬ＋２．１１…（４）
ｌｏｇＰＬｏ＝０．１３ｌｏｇＥ−０．２１ｌｏｇＡＬＬ＋２．４３…（５）
で定義されており、
上記最大表示輝度演算部は、上記式（４）、（５）と、上記画面照度検出部で検出した画面照度と、上記平均輝度レベル演算部で算出した平均輝度レベルと、上記設定値受付部で受け付けた設定値ｎとから、上記式（１）に基づいて上記表示画面の最大表示輝度を決定することを特徴とする請求項１〜４の何れか１項に記載の表示装置。
【請求項６】
上記最大表示輝度演算部は、
Ｌｙ＝ＰＬｙ、Ｌｏ＝ＰＬｏとして上記式（１）から上記表示画面の最大表示輝度を決定することを特徴とする請求項１〜５の何れか１項に記載の表示装置。
【請求項７】
上記最大表示輝度演算部は、
Ｌｙ＝ＰＬｙ／２、Ｌｏ＝ＰＬｏとして上記式（１）から上記表示画面の最大表示輝度を決定することを特徴とする請求項１〜５の何れか１項に記載の表示装置。
【請求項８】
上記最大表示輝度演算部は、
Ｌｙ＝ＰＬｙ／２、Ｌｏ＝２ＰＬｏとして上記式（１）から上記表示画面の最大表示輝度を決定することを特徴とする請求項１〜５の何れか１項に記載の表示装置。
【請求項９】
上記式（１）において、Ｌｙ＝ＰＬｙ、Ｌｏ＝ＰＬｏとした第１演算式と、上記式（１）において、Ｌｙ＝ＰＬｙ／２、Ｌｏ＝ＰＬｏとした第２演算式と、上記式（１）において、Ｌｙ＝ＰＬｙ／２、Ｌｏ＝２ＰＬｏとした第３演算式とを記憶する演算式記憶部と、
上記第１演算式〜第３演算式の何れかの演算式に対応付けられた指定値を受け付ける指定値受付部とを有し、
上記最大表示輝度演算部は、
上記指定値受付部によって受け付けられた指定値に対応付けられた演算式を、上記演算式記憶部から読み込み、読み込んだ演算式に基づいて上記表示画面の最大表示輝度を決定することを特徴とする請求項１〜５の何れか１項に記載の表示装置。
【請求項１０】
上記複数の輝度制御レベルにそれぞれ対応付けられた設定値にそれぞれ対応付けられたサンプル画像を記憶するサンプル画像記憶部と、
上記サンプル画像のうち、上記設定値受付部が受け付けた設定値ｎに対応付けられたサンプル画像を、上記サンプル画像記憶部から読み込み、上記表示部に表示させる表示制御回路とを備えることを特徴とする請求項１〜９の何れか１項に記載の表示装置。
【請求項１１】
上記式（４）を満足する画面照度と平均輝度レベルとＬｙとの関係を示すルックアップテーブルと、上記式（５）を満足する画面照度と平均輝度レベルとＬｏとの関係を示すルックアップテーブルとを記憶したルックアップテーブル記憶部をさらに備え、
上記最大表示輝度演算部は、
上記画面照度と平均輝度レベルとから、上記ルックアップテーブル記憶部に記憶されたルックアップテーブルを参照して上記表示画面の最大表示輝度を決定することを特徴とする請求項５に記載の表示装置。
【請求項１２】
上記式（４）を満足する画面照度と平均輝度レベルとＬｙとの関係を示すルックアップテーブルと、上記式（４）および（５）を満足する画面照度と平均輝度レベルとＬｏ−Ｌｙとの関係を示すルックアップテーブルとを記憶したルックアップテーブル記憶部をさらに備え、
上記最大表示輝度演算部は、
上記画面照度と平均輝度レベルとから、上記ルックアップテーブル記憶部に記憶されたルックアップテーブルを参照して上記表示画面の最大表示輝度を決定することを特徴とする請求項５に記載の表示装置。
【請求項１３】
表示装置の表示画面に表示される映像の映像ソースである映像信号から平均輝度レベルを算出する平均輝度レベル演算ステップと、
第１の最大表示輝度をＬｙとし、第２の最大表示輝度をＬｏとすると、上記ＬｙとＬｏとを下限および上限として上記ＬｙとＬｏとの間の値をｍ個（但し、ｍは正の整数を示す）に分割した複数の輝度制御レベルそれぞれに対応付けられた任意の設定値ｎ（但し、ｎは正の整数であってｎ＝１〜ｍを示す）を受け付ける設定値受付ステップと、
若年者向け最大表示輝度（ｃｄ／ｍ２）をＰＬｙとし、高齢者向け最大表示輝度（ｃｄ／ｍ２）をＰＬｏとし、上記表示画面の最大表示輝度をＬｎとすると、
画面照度と平均輝度レベルと観視画角とから決定され、観視画角を予め設定された値に固定することで画面照度と平均輝度レベルとをパラメータとする、若年者向け最大表示輝度および高齢者向け最大表示輝度と、上記表示画面の画面照度と、上記平均輝度レベル演算ステップで算出した平均輝度レベルと、上記設定値ｎとから、次式（１）
Ｌｎ＝Ｌｙ＋ｎ（Ｌｏ−Ｌｙ）／ｍ…（１）
（但し、Ｌｙ＝ＰＬｙ／２〜ＰＬｙ、Ｌｏ＝ＰＬｏ〜２ＰＬｏ）
に基づいて上記表示画面の最大表示輝度を決定する最大表示輝度演算ステップと、
上記最大表示輝度演算ステップで決定された最大表示輝度から、上記表示画面の最大表示輝度が上記最大表示輝度演算ステップで決定された最大表示輝度となるように、上記表示装置に光を照射する光源に与える出力値を決定する光源出力演算ステップと、
を含むことを特徴とする輝度制御方法。
【請求項１４】
画面照度（ｌｘ）をＥとし、平均輝度レベル（％）をＡＬＬとすると、
上記若年者向け最大表示輝度および高齢者向け最大表示輝度は、上記観視画角を２０度とし、次式（４）、（５）
ｌｏｇＰＬｙ＝０．２７ｌｏｇＥ−０．３２ｌｏｇＡＬＬ＋２．１１…（４）
ｌｏｇＰＬｏ＝０．１３ｌｏｇＥ−０．２１ｌｏｇＡＬＬ＋２．４３…（５）
で定義されており、
上記最大表示輝度演算ステップでは、上記式（４）、（５）と、上記表示画面の画面照度と、上記平均輝度レベル演算ステップで算出した平均輝度レベルと、上記設定値ｎとから、上記式（１）に基づいて上記表示画面の最大表示輝度を決定することを特徴とする請求項１３に記載の輝度制御方法。
【請求項１５】
コンピュータに、請求項１３または１４に記載の輝度制御方法の各ステップを実行させるプログラム。
【請求項１６】
請求項１５に記載のプログラムが記憶されたコンピュータ読み取り可能な記録媒体。
【発明の詳細な説明】
【技術分野】
【０００１】
本発明は、表示装置、並びに、表示画面の表示輝度を調整する輝度制御方法、プログラム、およびコンピュータ読み取り可能な記録媒体に関するものである。
【背景技術】
【０００２】
液晶テレビの表示輝度制御は、例えば周囲の明るさ、映像内容等によって様々な制御が行われている。しかしながら、上記制御は、観察者の視覚特性を十分に考慮して制御されているとは言えない。特に、観察者の年齢に対する視機能の変化と、各観察者の視機能および好みの差異を考慮したものは非常に少ない。
【０００３】
一般的に、液晶テレビの表示輝度は高めに設定されていることが多い。過剰な表示輝度は視覚への負担をもたらすと同時に、エネルギーの浪費にも繋がる。
【０００４】
このため、超高齢化社会の進行に伴って、観察者の年齢に応じた表示輝度制御、特に高齢者に適切な表示輝度制御を行うことは、今後ますます重要になる。
【０００５】
特許文献１には、一般的な特性で画像と音声とを再生する標準再生モードの信号処理手段と、高齢者の視覚特性・聴覚特性に適した画像と音声とを再生する支援再生モードとをリモートコントローラ等のボタン操作で選択することで、高齢者が見やすい画像、聞きやすい音声の再生を行うことが開示されている。
【０００６】
また、特許文献２には、表示画面近傍の照度と、観察者の情報として観察者の年齢あるいは視力と、表示画面と観察者との間の視距離とから算出した、観察者が眩しいと感じ始める表示画面の輝度に基づいて表示画面の最大輝度を決定することで、環境の明るさおよび観察者の年齢層に応じた明るさで画像を表示することが開示されている。
【先行技術文献】
【特許文献】
【０００７】
【特許文献１】特開平９−２４７５６３号公報（１９９７年９月１９日公開）
【特許文献２】特開２００７−２７９４０５号公報（２００７年１０月２５日公開）
【特許文献３】特開２０１０−２６０４５号公報（２０１０年２月４日公開）
【非特許文献】
【０００８】
【非特許文献１】映像情報メディア学会誌 ｖｏｌ．６４，Ｎｏ．６，ｐｐ８８１−８９０（２０１０）
【発明の概要】
【発明が解決しようとする課題】
【０００９】
しかしながら、特許文献１に記載の技術は、単に、標準再生モードと支援再生モードとを切り替えるものであり、高齢者が支援再生モードを選択した場合、高齢者の年齢によらず、一律の制御が行われる。
【００１０】
特許文献２に記載の技術は、観察者が眩しいと感じ始める輝度の測定データを基に輝度制御を行っているため、最適な表示輝度よりも高めの表示輝度となる。
【００１１】
また、特許文献２では、観察者の視覚特性として年齢をパラメータとする輝度制御を行っているだけで、観察者間の個人差を殆ど考慮していない。
【００１２】
なお、特許文献２には、視力をパラメータとする記述もあるが、視力は空間分解能を表わす指標であり、明るさ制御のためのパラメータとしては不適切である。
【００１３】
視感度、眩しさ感は、水晶体の白濁の程度差等で、高齢になるほど個人差が大きくなる。このため、高齢者を一纏めにして一律の輝度制御を行うことは不適切である。
【００１４】
なお、本願発明者らは、近年、表示画面の最大表示輝度を、指数βに基づいて指数関数的に水平画角を変化させたものと定数Ｋとを乗じた値となるように制御するに際し、年代と輝度制御式とを１対１とし、同一年代であれば画一的に輝度制御方式を同じにするか、定数Ｋおよび指数βの値を、視聴者が好みに応じて変更することを提案した。
【００１５】
ここで、定数Ｋは年代別の視覚特性を考慮した輝度制御を行うための定数である。また、係数βは、人間の一般的な視覚特性を反映する係数である。
【００１６】
しかしながら、同一年代であれば画一的に輝度制御方式を同じにした場合、各観察者間の差異が反映されない。特に、高齢者になる程、視機能の差は大きくなる。このため、高齢者になる程、観察者間での好適輝度のばらつきは大きくなる。このため、年齢入力による画一的制御を行った場合、逆に弊害が生じる可能性がある。
【００１７】
また、定数Ｋおよび指数βの値を、視聴者が好みに応じて変更する場合、パラメータが２つあることに加え、入力される値が、細かい中途半端な値であるため、設定が面倒であると同時に、設定値によっては不適切な輝度制御を行ってしまう可能性がある。特にβは指数であるため、僅かな変化で大きな影響を与える。
【００１８】
本発明は、上記問題点に鑑みなされたものであり、その目的は、観察者の年齢に対する視機能の変化や観察者間の好みの違い、視聴条件を考慮した最適な表示輝度制御を行うことにある。
【課題を解決するための手段】
【００１９】
本発明にかかる表示装置は、上記の課題を解決するために、
表示部と、
上記表示部の表示画面に光を照射する光源と、
上記表示画面の画面照度を検出する画面照度検出部と、
上記光源の出力値を変化させることで上記表示画面の表示輝度を制御する輝度制御部と、
上記輝度制御部の出力値に基づいて上記光源を駆動する光源駆動回路と、を備えた表示装置であって、
上記輝度制御部は、
上記表示画面に表示される映像の映像ソースである映像信号から平均輝度レベルを算出する平均輝度レベル演算部と、
第１の最大表示輝度をＬｙとし、第２の最大表示輝度をＬｏとすると、上記ＬｙとＬｏとを下限および上限として上記ＬｙとＬｏとの間の値をｍ個（但し、ｍは正の整数を示す）に分割した複数の輝度制御レベルそれぞれに対応付けられた任意の設定値ｎ（但し、ｎは正の整数であってｎ＝１〜ｍを示す）を受け付ける設定値受付部と、
若年者向け最大表示輝度（ｃｄ／ｍ２）をＰＬｙとし、高齢者向け最大表示輝度（ｃｄ／ｍ２）をＰＬｏとし、上記表示画面の最大表示輝度をＬｎとすると、
画面照度と平均輝度レベルと観視画角とから決定され、観視画角を予め設定された値に固定することで画面照度と平均輝度レベルとをパラメータとする、若年者向け最大表示輝度および高齢者向け最大表示輝度と、上記画面照度検出部で検出した画面照度と、上記平均輝度レベル演算部で算出した平均輝度レベルと、上記設定値受付部で受け付けた設定値ｎとから、次式（１）
Ｌｎ＝Ｌｙ＋ｎ（Ｌｏ−Ｌｙ）／ｍ…（１）
（但し、Ｌｙ＝ＰＬｙ／２〜ＰＬｙ、Ｌｏ＝ＰＬｏ〜２ＰＬｏ）
に基づいて上記表示画面の最大表示輝度を決定する最大表示輝度演算部と、
上記最大表示輝度演算部で決定された最大表示輝度から、上記表示画面の最大表示輝度が上記最大表示輝度演算部で決定された最大表示輝度となるように、上記光源に与える出力値を決定する光源出力演算部と、
を備えていることを特徴としている。
【００２０】
また、本発明にかかる輝度制御方法は、上記の課題を解決するために、
表示装置の表示画面に表示される映像の映像ソースである映像信号から平均輝度レベルを算出する平均輝度レベル演算ステップと、
第１の最大表示輝度をＬｙとし、第２の最大表示輝度をＬｏとすると、上記ＬｙとＬｏとを下限および上限として上記ＬｙとＬｏとの間の値をｍ個（但し、ｍは正の整数を示す）に分割した複数の輝度制御レベルそれぞれに対応付けられた任意の設定値ｎ（但し、ｎは正の整数であってｎ＝１〜ｍを示す）を受け付ける設定値受付ステップと、
若年者向け最大表示輝度（ｃｄ／ｍ２）をＰＬｙとし、高齢者向け最大表示輝度（ｃｄ／ｍ２）をＰＬｏとし、上記表示画面の最大表示輝度をＬｎとすると、
画面照度と平均輝度レベルと観視画角とから決定され、観視画角を予め設定された値に固定することで画面照度と平均輝度レベルとをパラメータとする、若年者向け最大表示輝度および高齢者向け最大表示輝度と、上記表示画面の画面照度と、上記平均輝度レベル演算ステップで算出した平均輝度レベルと、上記設定値ｎとから、次式（１）
Ｌｎ＝Ｌｙ＋ｎ（Ｌｏ−Ｌｙ）／ｍ…（１）
（但し、Ｌｙ＝ＰＬｙ／２〜ＰＬｙ、Ｌｏ＝ＰＬｏ〜２ＰＬｏ）
に基づいて上記表示画面の最大表示輝度を決定する最大表示輝度演算ステップと、
上記最大表示輝度演算ステップで決定された最大表示輝度から、上記表示画面の最大表示輝度が上記最大表示輝度演算ステップで決定された最大表示輝度となるように、上記表示装置に光を照射する光源に与える出力値を決定する光源出力演算ステップと、
を含むことを特徴としている。
【００２１】
上記表示装置並びに輝度制御方法によれば、観察者が、上記輝度制御レベルそれぞれに対応付けられた設定値のなかから、観察者が適切と考える設定値を選択することで、観察者の年齢、視機能（例えば、観察者の年齢に対する視機能の変化）、観察者の好み、視聴条件等に応じて、最適かつ柔軟な輝度制御を行うことが可能となる。
【００２２】
上記したように、本発明では、表示輝度に影響を及ぼす、主要な３つのパラメータ（画面照度、平均輝度レベル、観視画角）を用いて若年者向け最大表示輝度および高齢者向け最大表示輝度を決定する。
【００２３】
上記表示装置並びに輝度制御方法によれば、好適輝度に大きな影響を及ぼす平均輝度レベルも考慮した輝度制御を行うため、より正確な輝度制御が可能となる。
【００２４】
一方、観視画角を求めるためには、観察者が、表示画面に対してどのような距離および位置にいるかを知るためのセンサ、カメラ等の付加的なデバイスが必要となる。また、複数名の観察者が同時に存在する場合、観視画角は、観察者毎に異なる場合が多く、計測にコストを要する割に効果が十分で無い可能性が高い。
【００２５】
したがって観視画角は、代表的な値に固定しておき、パラメータとして扱わない方が効率的である。そこで、本発明では、観視画角を予め設定された値に固定することで画面照度と平均輝度レベルとをパラメータとした。
【００２６】
また、上記表示装置並びに輝度制御方法では、上記したように、最大表示輝度の値を直接設定するのではなく、上記ＬｙとＬｏとを下限および上限として上記ＬｙとＬｏとの間の値をｍ個に分割して得られた複数の輝度制御レベルそれぞれに対応付けられた設定値から、観察者が設定した任意の設定値ｎに応じた輝度制御を行う。
【００２７】
したがって、定数や指数を設定する場合のように値が細かくなったり、中途半端な値となったりすることがなく、設定が容易である。
【００２８】
また、主観評価実験を行い、若年者グループおよび高齢者グループのそれぞれの平均値から、若年者向け最大表示輝度および高齢者向け最大表示輝度として好適表示輝度を求めたところ、各観察者間によって、好適輝度にはバラツキがあり、＋１σ（標準偏差）は平均値の２倍で、−１σは平均値の半分程度であった。
【００２９】
したがって、上記主観評価実験における標準偏差を考慮すれば、輝度調整範囲は、ＰＬｙ／２〜２ＰＬｏの範囲内とすることで、より多くの観察者が好適と考える表示輝度に調整することができる。
【００３０】
したがって、Ｌｙ＝ＰＬｙ／２〜ＰＬｙ、Ｌｏ＝ＰＬｏ〜２ＰＬｏとすることで、上記表示装置並びに輝度制御方法によれば、必ず、上記ＬｙとＬｏとの間で輝度制御を行うため、どのような設定値を入力しても、不適切な輝度制御を行うことがない。
【００３１】
上記したように、上記若年者向け最大表示輝度および高齢者向け最大表示輝度は、画面照度と平均輝度レベルと観視画角とから若年者向け最大表示輝度と高齢者向け最大表示輝度とを求める、主観評価実験から導出される式によって定義することができる。
【００３２】
ここで、画面照度（ｌｘ）をＥとし、平均輝度レベル（％）をＡＬＬとし、観視画角（度）をＳＡとすると、本願発明者らは、既に実施した主観評価実験における若年者グループおよび高齢者グループのそれぞれの平均値から、好適表示輝度として、次式（２）、（３）
ｌｏｇＰＬｙ＝０．２７ｌｏｇＥ−０．３２ｌｏｇＡＬＬ−０．２２ｌｏｇＳＡ＋２．４０…（２）
ｌｏｇＰＬｏ＝０．１３ｌｏｇＥ−０．２１ｌｏｇＡＬＬ−０．３４ｌｏｇＳＡ＋２．８７…（３）
で示す式を導出した。
【００３３】
したがって、上記若年者向け最大表示輝度および高齢者向け最大表示輝度は、画面照度と平均輝度レベルと観視画角とから若年者向け最大表示輝度と高齢者向け最大表示輝度とを求める、主観評価実験から導出される式によって定義されていることが好ましく、上記主観評価実験から導出される式として、上記式（２）、（３）を用いることが好ましい。
【００３４】
また、上記したように、観視画角は、代表的な値に固定しておき、パラメータとして扱わない方が効率的である。
【００３５】
そこで、本願発明者らは、画面照度（ｌｘ）をＥとし、平均輝度レベル（％）をＡＬＬとすると、既に実施した実地調査および主観評価実験の結果から、観視画角を２０度に固定することで、若年者グループおよび高齢者グループのそれぞれの平均値から、好適表示輝度として、次式（４）、（５）
ｌｏｇＰＬｙ＝０．２７ｌｏｇＥ−０．３２ｌｏｇＡＬＬ＋２．１１…（４）
ｌｏｇＰＬｏ＝０．１３ｌｏｇＥ−０．２１ｌｏｇＡＬＬ＋２．４３…（５）
で示す式を導出した。
【００３６】
したがって、上記若年者向け最大表示輝度および高齢者向け最大表示輝度は、上記観視画角を２０度とし、上記式（４）、（５）で定義されており、上記最大表示輝度演算部は、上記式（４）、（５）と、上記画面照度検出部で検出した画面照度と、上記平均輝度レベル演算部で算出した平均輝度レベルと、上記設定値受付部で受け付けた設定値ｎとから、上記式（１）に基づいて上記表示画面の最大表示輝度を決定することが好ましい。
【００３７】
また、上記若年者向け最大表示輝度および高齢者向け最大表示輝度は、上記観視画角を２０度とし、上記式（４）、（５）で定義されており、上記最大表示輝度演算ステップでは、上記式（４）、（５）と、上記表示画面の画面照度と、上記平均輝度レベル演算ステップで算出した平均輝度レベルと、上記設定値ｎとから、上記式（１）に基づいて上記表示画面の最大表示輝度を決定することが好ましい。
【００３８】
但し、近年、画面サイズは大型化する傾向にあり、今後も画面サイズが大型化していくことが想定される。したがって、今後、画面サイズの大型化に伴って平均的な視聴距離や観視画角が変化する可能性がある。
【００３９】
したがって、若年者向け最大表示輝度および高齢者向け最大表示輝度は、市場の動向によって、最適な最大表示輝度が変化する可能性が考えられる。
【００４０】
そこで、上記若年者向け最大表示輝度および高齢者向け最大表示輝度は、画面照度と平均輝度レベルと観視画角とから若年者向け最大表示輝度と高齢者向け最大表示輝度とを求める、主観評価実験から導出された式によって定義されることが好ましい。
【００４１】
同様に、上記観視画角は、実地調査および主観評価実験の結果に基づいて予め設定されることが好ましい。
【００４２】
また、本発明において、式（２）〜（５）は、実際に主観評価実験を行い、その実験結果から導出された式である。したがって、上記表示装置並びに輝度制御方法によれば、例えば特許文献２のように「眩しさを感じ始める」輝度に基づいて輝度制御を行う場合と比較して、低視覚負担および低消費電力化を図ることができ、より適切な輝度制御を行うことができる。
【００４３】
上記最大表示輝度演算部は、Ｌｙ＝ＰＬｙ、Ｌｏ＝ＰＬｏとして上記式（１）から上記表示画面の最大表示輝度を決定してもよく、Ｌｙ＝ＰＬｙ／２、Ｌｏ＝ＰＬｏとして上記式（１）から上記表示画面の最大表示輝度を決定してもよく、Ｌｙ＝ＰＬｙ／２、Ｌｏ＝２ＰＬｏとして上記式（１）から上記表示画面の最大表示輝度を決定してもよい。
【００４４】
上記したように、Ｌｙ＝ＰＬｙ／２、Ｌｏ＝２ＰＬｏとして上記式（１）から上記表示画面の最大表示輝度を決定することで、より多くの観察者が好適と考える表示輝度に調整することができる。
【００４５】
しかしながら、２ＰＬｏはかなり高い輝度となり、消費電力の増大を招く。このため、より低消費電力化を図るためには、Ｌｙ＝ＰＬｙかつＬｏ＝ＰＬｏとするか、Ｌｙ＝ＰＬｙ／２かつＬｏ＝ＰＬｏとすることが好ましい。
【００４６】
また、上記表示装置は、上記式（１）において、Ｌｙ＝ＰＬｙ、Ｌｏ＝ＰＬｏとした第１演算式と、上記式（１）において、Ｌｙ＝ＰＬｙ／２、Ｌｏ＝ＰＬｏとした第２演算式と、上記式（１）において、Ｌｙ＝ＰＬｙ／２、Ｌｏ＝２ＰＬｏとした第３演算式とを記憶する演算式記憶部と、上記第１演算式〜第３演算式の何れかの演算式に対応付けられた指定値を受け付ける指定値受付部とを有し、上記最大表示輝度演算部は、上記指定値受付部によって受け付けられた指定値に対応付けられた演算式を、上記演算式記憶部から読み込み、読み込んだ演算式に基づいて上記表示画面の最大表示輝度を決定する構成としてもよい。
【００４７】
これにより、ＬｙおよびＬｏを与える演算式を、観察者が、上記第１演算式〜第３演算式から選択することができる。
【００４８】
また、上記表示装置は、上記複数の輝度制御レベルにそれぞれ対応付けられた設定値にそれぞれ対応付けられたサンプル画像を記憶するサンプル画像記憶部と、上記サンプル画像のうち、上記設定値受付部が受け付けた設定値ｎに対応付けられたサンプル画像を、上記サンプル画像記憶部から読み込み、上記表示部に表示させる表示制御回路とを備えていることが好ましい。
【００４９】
この場合、観察者に、設定値間の差異を画像として示すことができる。また、このように設定値に対応してサンプル画像が用意されていることで、観察者が設定値を選択する際に、直感的かつ容易に、分割された輝度制御レベルの選択・調整を行うことができる。
【００５０】
また、上記表示装置は、上記式（４）を満足する画面照度と平均輝度レベルとＬｙとの関係を示すルックアップテーブルと、上記式（５）を満足する画面照度と平均輝度レベルとＬｏとの関係を示すルックアップテーブルとを記憶したルックアップテーブル記憶部をさらに備え、上記最大表示輝度演算部は、上記画面照度と平均輝度レベルとから、上記ルックアップテーブル記憶部に記憶されたルックアップテーブルを参照して上記表示画面の最大表示輝度を決定することが好ましい。
【００５１】
また、上記したように、式（１）は、Ｌｎ＝Ｌｙ＋ｎ（Ｌｏ−Ｌｙ）／ｍで与えられる。
【００５２】
したがって、上記表示装置は、上記式（４）を満足する画面照度と平均輝度レベルとＬｙとの関係を示すルックアップテーブルと、上記式（４）、（５）を満足する画面照度と平均輝度レベルとＬｏ−Ｌｙとの関係を示すルックアップテーブルとを記憶したルックアップテーブル記憶部をさらに備え、上記最大表示輝度演算部は、上記画面照度と平均輝度レベルとから、上記ルックアップテーブル記憶部に記憶されたルックアップテーブルを参照して上記表示画面の最大表示輝度を決定する構成としてもよい。
【００５３】
何れの場合にも、上記したようにルックアップテーブルを用いてＬｎを決定することで、安価な構成とすることができ、かつ短時間での処理が可能となる。
【００５４】
なお、上記輝度制御方法の各ステップは、コンピュータによって実現してもよい。この場合、コンピュータに、プログラムに従って、上記輝度制御方法の各ステップを実行させることができるので、上記輝度制御方法をコンピュータにおいて実現するプログラムも本発明の範疇に入る。また、プログラムを記録したコンピュータ読み取り可能な記録媒体も本発明の範疇に入る。
【発明の効果】
【００５５】
以上のように、上記表示装置並びに輝度制御方法によれば、画面照度と、平均輝度レベルと、若年者向け最大表示輝度に基づく第１の最大表示輝度と高齢者向け最大表示輝度に基づく第２の最大表示輝度とを下限および上限として上記第１の最大表示輝度と第２の最大表示輝度との間の値を複数（ｍ個）に分割した複数（ｍ個）の輝度制御レベルそれぞれに対応付けられた任意の設定値ｎとから表示画面の最大表示輝度を決定する。
【００５６】
したがって、観察者が、上記輝度制御レベルそれぞれに対応付けられた設定値のなかから、観察者が適切と考える設定値を選択することで、観察者の年齢、視機能（例えば、観察者の年齢に対する視機能の変化）、観察者の好み、視聴条件等に応じて、最適かつ柔軟な輝度制御を行うことが可能となる。
【図面の簡単な説明】
【００５７】
【図１】本発明の実施の一形態にかかる表示装置の要部の構成を示すブロック図である。
【図２】本発明の実施の一形態にかかる輝度制御方法の概要を示す図である。
【図３】観視画角（水平画角）を説明する図である。
【図４】主観評価実験において、画面照度を１００ｌｘとし、観視画角を３３ｄｅｇとしたときに平均輝度レベルを種々変化させたときの、平均輝度レベルと、被験者である高齢者および若年者が最も好適であると判断した好適表示輝度との関係を示すグラフである。
【図５】主観評価実験において、画面照度を１００ｌｘとし、平均輝度レベルを３９％としたときに観視画角を種々変化させたときの、観視画角と、被験者である高齢者および若年者が最も好適であると判断した好適表示輝度との関係を示すグラフである。
【図６】主観評価実験において、観視画角を３３ｄｅｇとし、平均輝度レベルを３９％としたときに画面照度を種々変化させたときの、画面照度と、被験者である高齢者および若年者が最も好適であると判断した好適表示輝度との関係を示すグラフである。
【図７】表示部の中央に設けられた位置計測部から同じ距離に位置する複数の観察者が形成する観視画角を示す図である。
【図８】（ａ）は、図１に示すＬＵＴ記憶部に格納された、ＰＬｙを与えるＬＵＴの一例を示す図であり、（ｂ）は、図１に示すＬＵＴ記憶部に格納された、ＰＬｏを与えるＬＵＴの一例を示す図である。
【図９】本発明の実施の他の形態にかかる表示装置の要部の構成を示すブロック図である。
【図１０】上限輝度を５００ｃｄ／ｍ２とした場合に２Ｐｏを与えるＬＵＴの一例を示す図である。
【発明を実施するための形態】
【００５８】
以下、本発明の実施の形態について、詳細に説明する。
【００５９】
〔実施の形態１〕
本発明の実施の一形態について図１〜図８の（ａ）・（ｂ）に基づいて説明すれば、以下の通りである。
【００６０】
なお、以下の説明では、本実施の形態にかかる表示装置における表示画面側を上面側とし、その反対面側である背面側を下面側として説明する。
【００６１】
また、本実施の形態では、上記表示装置が、図示しない入力データ供給源から、映像ソースとして、地上デジタル放送または地上アナログ放送等の放送信号、あるいは、ＤＶＤ（Digital Versatile Disc）等の入力信号を受信し、受信した映像ソースに応じた映像を表示部の表示画面に表示するテレビ（ＴＶ：television）であることを前提として説明する。
【００６２】
しかしながら、本実施の形態はこれに限定されるものではなく、表示部の表示画面に表示された映像を観察者が視覚的に捉えることができるものであれば、他のどのような種類の表示装置でもよい。
【００６３】
＜表示装置の構成＞
まず、本実施の形態にかかる表示装置の構成について説明する。
【００６４】
図１は、本実施の形態にかかる表示装置の要部の構成を示すブロック図である。
【００６５】
図１に示すように、本実施の形態にかかる表示装置１００は、表示部１、表示制御回路２、光源３、光源駆動回路４、画面照度検出部５、輝度制御部６、設定値指定部７、および、後述する各種記憶部を備えている。
【００６６】
表示部１は、液晶パネル等の表示パネルからなり、図示しない表示画面を備えている。表示部１は、上記したように、地上デジタル放送または地上アナログ放送等の放送信号、あるいは、ＤＶＤ等の入力信号等、図示しない入力データ供給源から受信した映像ソースに応じた映像を、上記表示画面に表示する。
【００６７】
表示部１に用いられる液晶パネル等の表示パネルとしては、公知の各種表示パネルを使用することができる。したがって、ここでは、上記表示パネルの各基板構成に関する詳細な説明並びに図示を省略する。
【００６８】
また、上記表示パネルの駆動方式は特に限定されるものではない。上記駆動方式としては、例えば、ＶＡ（Vertical Alignment）モード等が挙げられるが、これに限定されるものではない。
【００６９】
上記表示パネルの一例としては、例えば、複数の画素がマトリスク状に配されたアクティブマトリクス型の液晶パネルが挙げられる。上記液晶パネルは、図示しないアクティブマトリクス基板と対向基板との間に液晶層が挟持された構成を有している。
【００７０】
上記液晶パネルには、複数のゲートラインと複数のソースラインとが互いに交差して配されている。これらゲートラインとソースラインとで囲まれた領域が１画素であり、各画素には、画素電極およびＴＦＴ等のスイッチング素子がそれぞれ設けられている。
【００７１】
上記ゲートライン、ソースラインは、それぞれ、ゲートドライバ、ソースドライバに接続されている。また、上記スイッチング素子のゲート電極、ソース電極、ドレイン電極には、ゲートライン、ソースライン、画素電極がそれぞれ接続されている。
【００７２】
これにより、上記スイッチング素子をＯＮ・ＯＦＦ（オン・オフ）制御することで、画素電極に選択的にソース信号が供給される。具体的には、ゲートドライバからゲートラインを介してスイッチング素子にゲート信号が供給されると、スイッチング素子がＯＮ状態となり、スイッチング素子のソース電極からドレイン電極にソース信号が流れて画素電極に供給される。上記ソース信号は、ソースラインを介してソースドライバから供給される。
【００７３】
表示制御回路２は、図示しない入力データ供給源から受信した映像ソースに応じた映像を、上記表示部１の表示画面に表示させる。
【００７４】
入力データ供給源から表示制御回路２に入力される入力データには、上記映像ソース（例えばＲＧＢデータ等の画素データ）の他に、水平同期信号、垂直同期信号等の制御信号が含まれている。
【００７５】
表示制御回路２は、入力データ供給源から水平同期信号、垂直同期信号等の制御信号を受け取り、この受け取った制御信号に基づいてゲート制御信号、ソース制御信号を生成して、ゲートドライバ、ソースドライバにそれぞれ供給する。
【００７６】
ゲート制御信号およびソース制御信号は、それぞれ、ゲートドライバおよびソースドライバの駆動のタイミングを制御するためのタイミング信号である。ソースドライバは、表示制御回路２から供給されるタイミング信号に基づいて各ソースラインに走査順にソース信号を供給する。
【００７７】
光源３は、表示部１の表示画面に光を照射する照明装置である。本実施の形態では、光源３に、表示部１の表示画面に、その背面側から光を照射するバックライトを用いるものとする。
【００７８】
光源３には、従来公知の各種照明装置を用いることができる。具体的には、例えば、発光素子にＬＥＤ（ＬＥＤ：Light Emitting Diode）を用いたＬＥＤバックライト等のＬＥＤ照明装置や、複数の冷陰極線管を平行に配列した冷陰極線管照明装置等が挙げられるが、これに限定されるものではない。
【００７９】
また、上記照明装置としては、表示部１の背面に設けられた導光板の側面に発光素子が設けられたエッジライト型であってもよく、表示部１の背面に設けられた発光素子によって表示画面を直接照射する直下型であってもよい。また、その駆動方法は、特に限定されるものではない。
【００８０】
光源駆動回路４は、輝度制御部６の出力値に基づいて光源３を駆動する駆動回路である。
【００８１】
画面照度検出部５は、表示部１の表示画面の画面照度を検出するセンサ部である。画面照度検出部５は、明るさセンサ１１と、明るさセンサ１１による検出結果から画面照度を算出する画面照度算出部１２とを備えている。
【００８２】
既に、殆どの液晶ＴＶには、明るさセンサが装備されている。明るさセンサは、表示画面の近傍に、観察者の方向を向いて配置されている。
【００８３】
明るさセンサ１１としては、これら既存の明るさセンサを用いることができる。なお、明るさセンサ１１の一例としては、例えば、視感度補正を施したシリコンフォトダイオードおよび増幅器を備えた受光素子が挙げられるが、これに限定されるものではない。
【００８４】
既存の明るさセンサは、多くの場合、表示画面下部の額縁部分に設置されている。しかしながら、明るさセンサ１１の設置位置は、表示画面と同一面上に観察者の方向を向いて設置されていれば、特に限定されるものではない。明るさセンサ１１の出力値と画面照度との関係を予め計測しておくことで、明るさセンサの１１の計測値から、明るさセンサの１１の設置位置に拘らず画面照度を求めることができる。
【００８５】
輝度制御部６は、光源３の出力値を変化させて光源３の輝度を制御することで表示部１の表示画面の表示輝度を制御する。
【００８６】
なお、設定値指定部７および各種記憶部については追って説明する。
【００８７】
＜輝度制御方法の概要＞
次に、本実施の形態にかかる輝度制御方法の概要について説明する。
【００８８】
図２は、本実施の形態にかかる輝度制御方法の概要を示す図である。
【００８９】
本実施の形態では、図２に示すように、主観評価実験結果から導出した若年者向け最大表示輝度（ＰＬｙ、単位：ｃｄ／ｍ２）に基づく第１の最大表示輝度（Ｌｙ、単位：ｃｄ／ｍ２）と、上記主観評価実験結果から導出した高齢者向け最大表示輝度（ＰＬｏ、単位：ｃｄ／ｍ２）に基づく第２の最大表示輝度（Ｌｏ、単位：ｃｄ／ｍ２）とを両端（つまり、下限および上限）として、その間で、観察者により、最大表示輝度の選択が行われる。
【００９０】
若年者向け最大表示輝度（ＰＬｙ）に基づく第１の最大表示輝度（Ｌｙ）は相対的に低輝度であり、高齢者向け最大表示輝度（ＰＬｏ）に基づく第２の最大表示輝度（Ｌｏ）は相対的に高輝度である。したがって、実視聴環境条件下では、どのような場合でも、第１の最大表示輝度（Ｌｙ）＜第２の最大表示輝度（Ｌｏ）が成り立つ。
【００９１】
観察者は、上記第１の最大表示輝度（Ｌｙ）と第２の最大表示輝度（Ｌｏ）との間の値を、これら第１の最大表示輝度（Ｌｙ）および第２の最大表示輝度（Ｌｏ）を含むｍ個（つまりｍ≧３、但し、ｍは正の整数を示す）に分割した複数の輝度制御レベルそれぞれに対応付けられた設定値から、観察者の好みに応じた任意の設定値ｎ（但し、ｎは正の整数であってｎ＝１〜ｍを示す）を選択する。なお、ｍは、ｍ≧３の正数であれば、任意に設定することができる。
【００９２】
観察者により選択された設定値ｎは、上記表示装置１００に設けられた、リモートコントローラにおける入力キーあるいは入力ボタン等の設定値指定部７から入力される。
【００９３】
若年者向け最大表示輝度（ＰＬｙ）は、ＴＶの好適な表示輝度に影響を及ぼす主要な３つのパラメータを用いた主観評価実験結果から導出した、若年者に好適な最大表示輝度を予測するモデル式から演算される、若年者に好適な最大表示輝度である。
【００９４】
高齢者向け最大表示輝度（ＰＬｏ）は、ＴＶの好適な表示輝度に影響を及ぼす主要な３つのパラメータを用いた主観評価実験結果から導出した、高齢者に好適な最大表示輝度を予測するモデル式から演算される、高齢者に好適な最大表示輝度である。
【００９５】
ここで、ＴＶの好適な表示輝度に影響を及ぼす主要な３つのパラメータとは、画面照度（Ｅ、単位：ｌｘ（ルクス））、平均輝度レベル（ＡＬＬ： Average Luminance Level、単位：％）、観視画角（ＳＡ、単位：degree（度、以下「ｄｅｇ」と記す））の３つである。
【００９６】
次に、上記３つのパラメータについてそれぞれ説明する。
【００９７】
＜画面照度＞
画面照度とは、表示画面の中央部における鉛直面の照度を示す。画面照度は、実用上は、上記したように、既に殆どの液晶ＴＶには装備されている明るさセンサの計測値から求めることができる。
【００９８】
＜平均輝度レベル＞
平均輝度レベル（ＡＬＬ）は、次式
【００９９】
【数１】
2013250284.tif 000003
【０１００】
から得られる値であり、受信した放送信号あるいはＤＶＤの入力信号等の映像信号から算出することができる。
【０１０１】
なお、式中、ＨおよびＷは表示部１に表示される映像の縦および横の画素数を示し、Ｙ（ｉ，ｊ）は座標（ｉ，ｊ）における画素の輝度信号レベル（０〜２５５）を示す。
【０１０２】
＜観視画角＞
図３は、観視画角（水平画角）を説明する図である。
【０１０３】
観視画角は、図３に示すように、表示部１の表示画面１ａの上端を真上から見下ろしたときに、表示画面１ａを見る観察者の目４０と表示画面１ａの右端とを結ぶ線と、目４０と表示画面１ａの左端とを結ぶ線との間に形成される角度４１を示す。
【０１０４】
＜主観評価実験＞
次に、上記主観評価実験について説明する。
【０１０５】
主観評価実験には、被験者の手元の可変抵抗器でバックライトの輝度を２５〜７００ｃｄ／ｍ２の間で任意に調整できるように改造を施した４２型フルハイビジョン液晶ＴＶを使用した。
【０１０６】
被験者は、若年者２４名（平均年齢２２歳）および高齢者２４名（平均年齢７１歳）とした。
【０１０７】
被験者には、平均輝度レベル（ＡＬＬ）、観視画角（ＳＡ）、画面照度（Ｅ）の３つのパラメータのうち、２つのパラメータを固定して残るパラメータを変化させたときに、各条件での最も好ましい表示輝度（以下、「好適表示輝度」と記す）に調整するように指示を与えた。
【０１０８】
主観評価実験に用いた条件は、ＡＬＬ（％）＝６．６，３９．１，８１．５、ＳＡ（ｄｅｇ）＝１７，３３，６２、Ｅ（ｌｘ）＝３０，１００，３００であり、１パラメータにつき３条件、全２７通り（３×３×３）の組合せ（条件）とした。
【０１０９】
また、評価画像は、平均輝度レベル（ＡＬＬ）がほぼ一定である十数秒の地上波デジタル放送番組より選定した。
【０１１０】
上記主観評価実験の結果の一部を、図４〜図６に示す。
【０１１１】
図４は、画面照度（Ｅ）を１００ｌｘとし、観視画角（ＳＡ）を３３ｄｅｇとしたときに平均輝度レベル（ＡＬＬ）を６．６％，３９．１％，８１．５％と変化させたときの平均輝度レベル（ＡＬＬ）と、被験者である高齢者および若年者が最も好適であると判断した好適表示輝度（ＰＬ、単位：ｃｄ／ｍ２）との関係を示すグラフである。
【０１１２】
図５は、画面照度（Ｅ）を１００ｌｘとし、平均輝度レベル（ＡＬＬ）を３９％としたときに観視画角（ＳＡ）を１７ｄｅｇ，３３ｄｅｇ，６２ｄｅｇと変化させたときの観視画角（ＳＡ）と、被験者である高齢者および若年者が最も好適であると判断した好適表示輝度（ＰＬ）との関係を示すグラフである。
【０１１３】
図６は、観視画角（ＳＡ）を３３ｄｅｇとし、平均輝度レベル（ＡＬＬ）を３９％としたときに画面照度（Ｅ）を３０ｌｘ，１００ｌｘ，３００ｌｘと変化させたときの画面照度（Ｅ）と、被験者である高齢者および若年者が最も好適であると判断した好適表示輝度（ＰＬ）との関係を示すグラフである。
【０１１４】
なお、図４〜図６において、「●」（黒丸）で示す値は、高齢者２４名の幾何平均値を示し、「○」（白丸）で示す値は、若年者２４名の幾何平均値を示し、エラーバーは±１標準偏差を示す。
【０１１５】
これら画面照度（Ｅ）、平均輝度レベル（ＡＬＬ）、観視画角（ＳＡ）の３元配置の分散分析を行ったところ、何れも、好適表示輝度（ＰＬ）に対して有意な効果が認められ、かつ、独立した変数として扱えることが判った。そこで、重回帰分析を行い、次式（２）および（３）で示される予測式を得た。
【０１１６】
ｌｏｇＰＬｙ＝０．２７ｌｏｇＥ−０．３２ｌｏｇＡＬＬ−０．２２ｌｏｇＳＡ＋２．４０…（２）
ｌｏｇＰＬｏ＝０．１３ｌｏｇＥ−０．２１ｌｏｇＡＬＬ−０．３４ｌｏｇＳＡ＋２．８７…（３）
なお、上記分散分析および重回帰分析には、「エス・ピー・エス・エス社」製の統計パッケージソフト「ＳＰＳＳ」を用いた。
【０１１７】
＜第１の最大表示輝度（Ｌｙ）および第２の最大表示輝度（Ｌｏ）＞
次に、本実施の形態で用いられる第１の最大表示輝度（Ｌｙ）および第２の最大表示輝度（Ｌｏ）について説明する。
【０１１８】
本願発明者らは、上述したように、若年者（平均年齢２２歳）と高齢者（平均年齢７１歳）とに対して液晶ＴＶの好適な表示輝度を求める主観評価実験を行った。そして、その結果に基づいて、画面照度（Ｅ）、平均輝度レベル（ＡＬＬ）、観視画角（ＳＡ）から、好適表示輝度（ＰＬ）として、若年者に好適な若年者向け最大表示輝度（ＰＬｙ）と高齢者に好適な高齢者向け最大表示輝度（ＰＬｏ）とを求める予測式（２）および（３）を得た。
【０１１９】
なお、本実施の形態において、表示輝度とは、白ピーク（階調レベル２５５）輝度（すなわち、最大表示輝度）を示す。
【０１２０】
上記主観評価実験により、例えば図４〜図６に示したように、若年者と高齢者とでは、好適表示輝度（ＰＬ）にかなりの差がみられ、観察者の年齢を考慮に入れた輝度制御の必要性が改めて裏付けられた。
【０１２１】
若年者向け最大表示輝度（ＰＬｙ）と高齢者向け最大表示輝度（ＰＬｏ）とを求める予測式（２）および（３）は、それぞれ、被験者２４名の平均値として、実験条件の範囲内で、高い精度で好適表示輝度を予測することができる。
【０１２２】
上記したように、好適表示輝度（ＰＬ）に影響を与えるパラメータは、画面照度（Ｅ）、平均輝度レベル（ＡＬＬ）、観視画角（ＳＡ）の３つである。しかしながら、このうち、観視画角（ＳＡ）を求めるためには、観察者がＴＶに対してどのような距離および位置にいるかを知る必要がある。
【０１２３】
このため、観視画角（ＳＡ）を求めるためには、観察者が、ＴＶ（より具体的には、表示部１の表示画面）に対してどのような距離および位置にいるかを知るためのセンサ、カメラ等の付加的なデバイスが必要となる。また、複数名が同時にＴＶを見る場合、観視画角（ＳＡ）は、観察者毎に異なる場合が多い。
【０１２４】
図７は、表示部１の中央に設けられた、観察者の位置を計測する、上記したセンサやカメラ等の位置計測部４２から同じ距離に位置する複数の観察者が形成する観視画角（ＳＡ）を示す図である。
【０１２５】
図７に示す破線５０は、表示部１の中央に備えられている位置計測部４２を中心として、ある距離を半径として描いた円周の一部である。図７に示すように、破線５０の上に、観察者５１，５２，５３が位置している。観察者５１は観視画角５４を形成しており、同様に、観察者５２は観視画角５５を、観察者５３は観視画角５６をそれぞれ形成している。
【０１２６】
図７に示すように、位置計測部４２から同じだけ離れた点に位置する観察者であっても、表示部１に対してそれぞれ形成する観視画角（ＳＡ）は異なる。
【０１２７】
また、赤外線や超音波を利用した計測システムでは、観察者の各距離を個別に計測することは難しい。
【０１２８】
このため、観視画角（ＳＡ）は、計測にコストを要する割に効果が十分で無い可能性が高い。
【０１２９】
したがって観視画角（ＳＡ）は、代表的な値に固定しておき、パラメータとして扱わない方が効率的である。
【０１３０】
そこで、本願発明者らは、ＴＶの平均的な観視距離を、実際に８３世帯の一般家庭で観視距離を測定した結果（非特許文献１参照）から２．５ｍと固定し、ＴＶの画面サイズから、好適な観視画角（ＳＡ）を求める主観評価実験を行った。
【０１３１】
この結果、家庭に普及している３０〜４０型クラスのＴＶで、観視画角（ＳＡ）は２２ｄｅｇ程度であった。また、併せて、液晶ＴＶユーザ３２世帯を対象として、一般家庭における実地調査を行ったところ、平均の観視画角（ＳＡ）は１５．７ｄｅｇであった。
【０１３２】
このことから、上記した主観評価実験および実地調査の結果を考慮し、観視画角（ＳＡ）は、切りがよいＳＡ＝２０ｄｅｇに設定した。
【０１３３】
したがって、上記したさらなる主観評価実験および実地調査により得られた知見から、ＳＡ＝２０ｄｅｇとすると、上記したように画面照度（Ｅ）と平均輝度レベル（ＡＬＬ）と観視画角（ＳＡ）とから好適表示輝度（ＰＬｙ、ＰＬｏ）を求める主観評価実験から導出される予測式として式（２）および（３）を用いた場合、これらの式から、若年者および高齢者に対してそれぞれ好適表示輝度（ＰＬｙ、ＰＬｏ）を予測するモデル式は、次式（４）および（５）のように表される。
【０１３４】
ｌｏｇＰＬｙ＝０．２７ｌｏｇＥ−０．３２ｌｏｇＡＬＬ＋２．１１…（４）
ｌｏｇＰＬｏ＝０．１３ｌｏｇＥ−０．２１ｌｏｇＡＬＬ＋２．４３…（５）
そこで、本実施の形態では、第１の最大表示輝度（Ｌｙ）＝若年者向け最大表示輝度（ＰＬｙ）、第２の最大表示輝度（Ｌｏ）＝高齢者向け最大表示輝度（ＰＬｏ）として、式（４）および（５）から演算される若年者向け最大表示輝度（ＰＬｙ）および高齢者向け最大表示輝度（ＰＬｏ）を、観察者が選択する表示部１の表示画面の最大表示輝度の下限および上限とした。
【０１３５】
しかしながら、上記したように、若年者向け最大表示輝度（ＰＬｙ）および高齢者向け最大表示輝度（ＰＬｏ）は、主観評価実験により、若年者のグループ（平均年齢２２歳）および高齢者のグループ（平均年齢７１歳）に好適な表示輝度の評価を行い、その結果得られた、それぞれのグループでの好適表示輝度を予測する式から導出される表示輝度である。ＴＶの視聴者（観察者）全体から見ると、上記グループにおける年齢範囲以外の年齢比率の方が高い。このため、全年齢層に対してどの様に輝度制御を行うかが、実用上、重要となる。
【０１３６】
そこで、本実施の形態では、上記したように年齢で一律に輝度制御を決定するのではなく、上記したように第１の最大表示輝度（Ｌｙ）を下限とし、第２の最大表示輝度（Ｌｏ）を上限とし、その間で、観察者が最大表示輝度を選択できるようにすることで、観察者間の差異を反映した輝度制御を行う。
【０１３７】
以下に、上記輝度制御を行う輝度制御部６の構成および該輝度制御部６における各処理について説明する。
【０１３８】
＜輝度制御部６の構成および処理＞
輝度制御部６は、図１に示すように、平均輝度レベル演算部２１、設定値受付部２２、最大表示輝度演算部２３、および光源出力演算部２４を備えている。
【０１３９】
平均輝度レベル演算部２１は、表示部１の表示画面に表示される映像の映像ソースである映像信号として受信した放送信号あるいはＤＶＤ等の入力信号から、平均輝度レベル（ＡＬＬ）を算出して、最大表示輝度演算部２３に送る。
【０１４０】
設定値受付部２２は、リモートコントローラにおける入力キーあるいは入力ボタン等の設定値指定部７から入力された任意の設定値ｎを受け付けて、最大表示輝度演算部２３に送る。
【０１４１】
ここで、設定値ｎは、前記したように、第１の最大表示輝度（Ｌｙ）と第２の最大表示輝度（Ｌｏ）とを両端として第１の最大表示輝度（Ｌｙ）と第２の最大表示輝度（Ｌｏ）との間の値をｍ個に分割した複数の輝度制御レベルそれぞれに対応付けられた設定値であり、ｎおよびｍは正の整数を示し、ｎ＝１〜ｍである。
【０１４２】
最大表示輝度演算部２３は、若年者向け最大表示輝度（ＰＬｙ）および高齢者向け最大表示輝度（ＰＬｏ）と、画面照度検出部５で検出した画面照度（Ｅ）と、平均輝度レベル演算部２１で算出した平均輝度レベル（ＡＬＬ）と、設定値受付部２２で受け付けた設定値ｎとから、次式（１）に基づいて、表示部１の表示画面の最大表示輝度（Ｌｎ）を決定し、光源出力演算部２４に送る。
【０１４３】
Ｌｎ＝Ｌｙ＋ｎ（Ｌｏ−Ｌｙ）／ｍ…（１）
ここで、若年者向け最大表示輝度（ＰＬｙ）および高齢者向け最大表示輝度（ＰＬｏ）は、前記したように、画面照度（Ｅ）と平均輝度レベル（ＡＬＬ）と観視画角（ＳＡ）とから若年者向け最大表示輝度（ＰＬｙ）と高齢者向け最大表示輝度（ＰＬｏ）とを求める、主観評価実験から導出された式によって定義される。
【０１４４】
本実施の形態では、若年者向け最大表示輝度（ＰＬｙ）および高齢者向け最大表示輝度（ＰＬｏ）は、画面照度（Ｅ）と平均輝度レベル（ＡＬＬ）と観視画角（ＳＡ）とから決定され、観視画角（ＳＡ）を予め設定された値に固定することで画面照度（Ｅ）と平均輝度レベル（ＡＬＬ）とをパラメータとする式によって定義される。
【０１４５】
前記したように、観視画角（ＳＡ）を２０ｄｅｇとし、上記主観評価実験から導出される予測式として式（２）および（３）を用いた場合、若年者向け最大表示輝度（ＰＬｙ）および高齢者向け最大表示輝度（ＰＬｏ）は、次式（４）、（５）で定義される。
【０１４６】
ｌｏｇＰＬｙ＝０．２７ｌｏｇＥ−０．３２ｌｏｇＡＬＬ＋２．１１…（４）
ｌｏｇＰＬｏ＝０．１３ｌｏｇＥ−０．２１ｌｏｇＡＬＬ＋２．４３…（５）
したがって、最大表示輝度演算部２３は、式（４）および（５）と、画面照度検出部５で検出した画面照度（Ｅ）と、平均輝度レベル演算部２１で算出した平均輝度レベル（ＡＬＬ）と、設定値受付部２２で受け付けた設定値ｎとから、式（１）に基づいて、表示部１の表示画面の最大表示輝度（Ｌｎ）を決定する。
【０１４７】
言い換えれば、最大表示輝度演算部２３は、画面照度検出部５で検出した画面照度（Ｅ）と、平均輝度レベル演算部２１で算出した平均輝度レベル（ＡＬＬ）と、設定値受付部２２で受け付けた設定値ｎとから、式（１）、（４）、（５）に基づいて、表示部１の表示画面の最大表示輝度（Ｌｎ）を決定する。
【０１４８】
なお、本実施の形態では、前記したように、第１の最大表示輝度（Ｌｙ）＝若年者向け最大表示輝度（ＰＬｙ）、第２の最大表示輝度（Ｌｏ）＝高齢者向け最大表示輝度（ＰＬｏ）としている。
【０１４９】
したがって、上記式（１）は、次式（１Ａ）で表される。
【０１５０】
Ｌｎ＝ＰＬｙ＋ｎ（ＰＬｏ−ＰＬｙ）／ｍ…（１Ａ）
また、例えば、１０段階の設定値を設けた場合に、観察者が第n番目の輝度制御レベルに対応する設定値ｎを選択したときの最大表示輝度（Ｌｎ）は、次式（１Ｂ）のように表わすことができる。
【０１５１】
Ｌｎ＝ＰＬｙ＋ｎ（ＰＬｏ−ＰＬｙ）／１０…（１Ｂ）
また、表示部１の表示画面の最大表示輝度（Ｌｎ）は、Ｌｎ＝（ＰＬｙ＋ＰＬｏ）／２に初期設定されていることが好ましい。
【０１５２】
例えば、上記したように１０段階の設定値を設けた場合、初期設定値は、ｎ＝５に設定されていることが好ましい。つまり、表示部１の表示画面の最大表示輝度（Ｌｎ）は、Ｌ５＝（ＰＬｙ＋ＰＬｏ）／２であり、ＰＬｙとＰＬｏとの中間の値に設定されていることが好ましい。
【０１５３】
最大表示輝度演算部２３は、画面照度（Ｅ）、平均輝度レベル（ＡＬＬ）、および設定値ｎが入力されると、その都度、式（１）、（４）、（５）から直接、若年者向け最大表示輝度（ＰＬｙ）、高齢者向け最大表示輝度（ＰＬｏ）、最大表示輝度（Ｌｎ）を演算してもよく、ＬＵＴ（ルックアップテーブル、変換テーブル）を用いて、これらの値を決定してもよい。なお、ＬＵＴを用いる方法については、後で詳述する。
【０１５４】
表示部１の表示画面の表示輝度は、主に光源３の輝度で決まる。
【０１５５】
光源出力演算部２４は、上記最大表示輝度演算部２３で決定された最大表示輝度（Ｌｎ）から、表示部１の表示画面の最大表示輝度が上記最大表示輝度演算部２３で決定された最大表示輝度（Ｌｎ）となるように、光源３に与える出力値を決定し、光源駆動回路４に送る。
【０１５６】
これにより、光源駆動回路４は、前記したように、上記輝度制御部６の出力値に基づいて光源３を駆動する。
【０１５７】
また、輝度制御部６による輝度制御は、以下のようにして行われる。
【０１５８】
まず、表示装置１００の表示画面に表示される映像の映像ソースである映像信号から平均輝度レベル（ＡＬＬ）を算出する（平均輝度レベル演算ステップ）。
【０１５９】
次いで、第１の最大表示輝度（Ｌｙ）と第２のＬｏとを上限および下限としてＬｙとＬｏとの間の値をｍ個に分割した複数の輝度制御レベルそれぞれに対応付けられた任意の設定値ｎを受け付ける（設定値受付ステップ）。
【０１６０】
次いで、画面照度（Ｅ）と平均輝度レベル（ＡＬＬ）とをパラメータとする、若年者向け最大表示輝度（ＰＬｙ）および高齢者向け最大表示輝度（ＰＬｏ）と、上記表示画面の画面照度（Ｅ）と上記平均輝度レベル演算ステップで算出した平均輝度レベル（ＡＬＬ）と上記設定値ｎとから、式（１）に基づいて上記表示画面の最大表示輝度（Ｌｎ）を決定する（最大表示輝度演算ステップ）。
【０１６１】
ここで、若年者向け最大表示輝度（ＰＬｙ）および高齢者向け最大表示輝度（ＰＬｏ）は、主観評価実験から導出される予測式として式（２）および（３）を用いた場合、観視画角（ＳＡ）を２０ｄｅｇとして式（４）、（５）で定義される。
【０１６２】
したがって、最大表示輝度ステップでは、例えば、式（４）および（５）と、上記表示画面の画面照度（Ｅ）と上記平均輝度レベル演算ステップで算出した平均輝度レベル（ＡＬＬ）と上記設定値ｎとから、式（１）に基づいて上記表示画面の最大表示輝度（Ｌｎ）が決定される。
【０１６３】
その後、上記最大表示輝度演算ステップで決定された最大表示輝度（Ｌｎ）から、上記表示画面の最大表示輝度が上記最大表示輝度演算ステップで決定された最大表示輝度（Ｌｎ）となるように、上記表示装置１００に光を照射する光源３に与える出力値を決定する（光源出力演算ステップ）。
【０１６４】
但し、近年、画面サイズは大型化する傾向にあり、今後も画面サイズが大型化していくことが想定される。したがって、今後、画面サイズの大型化に伴って平均的な視聴距離や観視画角が変化する可能性がある。
【０１６５】
したがって、若年者向け最大表示輝度（ＰＬｙ）および高齢者向け最大表示輝度（ＰＬｏ）は、市場の動向によって、最適な最大表示輝度が変化する可能性が考えられる。
【０１６６】
そこで、上記若年者向け最大表示輝度（ＰＬｙ）および高齢者向け最大表示輝度（ＰＬｏ）は、今後、画面サイズの大型化に伴って平均的な視聴距離や観視画角が変化した場合、最適な最大表示輝度が得られるように画面照度（Ｅ）と平均輝度レベル（ＡＬＬ）と観視画角（ＳＡ）とから若年者向け最大表示輝度（ＰＬｙ）と高齢者向け最大表示輝度（ＰＬｏ）とを求める、主観評価実験から導出された式によって定義されることで、係数の変更が行なわれてもよい。
【０１６７】
同様に、観視画角（ＳＡ）も、実地調査および主観評価実験の結果に基づいて設定値の変更が行なわれてもよい。
【０１６８】
＜ＬＵＴを用いる方法＞
ここで、上記最大表示輝度演算部２３による最大輝度演算ステップにおいて、ＬＵＴを用いる方法について説明する。
【０１６９】
本実施の形態にかかる表示装置１００は、図１に示すように、記憶部として、最大表示輝度（Ｌｎ）を決定するための各種ＬＵＴが格納（記憶）されたＬＵＴ記憶部３１（ルックアップテーブル記憶部）を備えていてもよい。
【０１７０】
図８の（ａ）は、図１に示すＬＵＴ記憶部３１に格納された、若年者向け最大表示輝度（ＰＬｙ）を与える、二次元の配列を有するＬＵＴの一例を示す図であり、図８の（ｂ）は、図１に示すＬＵＴ記憶部３１に格納された、高齢者向け最大表示輝度（ＰＬｏ）を与える、二次元の配列を有するＬＵＴの一例を示す図である。
【０１７１】
図８の（ａ）・（ｂ）に示すように、ＬＵＴ記憶部３１には、例えば、画面照度（Ｅ）と平均輝度レベル（ＡＬＬ）との組み合わせに対して若年者向け最大表示輝度（ＰＬｙ）を対応付けるＬＵＴと、画面照度（Ｅ）と平均輝度レベル（ＡＬＬ）との組み合わせに対して高齢者向け最大表示輝度（ＰＬｏ）を対応付けるＬＵＴとが記憶（格納）されている。
【０１７２】
この場合、最大表示輝度演算部２３は、入力された画面照度（Ｅ）と平均輝度レベル（ＡＬＬ）とから、これら画面照度（Ｅ）と平均輝度レベル（ＡＬＬ）との組み合わせに対応する若年者向け最大表示輝度（ＰＬｙ）および高齢者向け最大表示輝度（ＰＬｏ）を、各ＬＵＴから読み取ることで、若年者向け最大表示輝度（ＰＬｙ）および高齢者向け最大表示輝度（ＰＬｏ）を決定する。そして、このＬＵＴから読み取った若年者向け最大表示輝度（ＰＬｙ）および高齢者向け最大表示輝度（ＰＬｏ）と、設定値受付部２２から入力された設定値ｎとから、最大表示輝度（Ｌｎ）を決定する。
【０１７３】
なお、上記ＬＵＴ記憶部３１には、例えば、電源を切ってもデータが保持され続ける、ＨＤＤ等の磁気ディスク装置や半導体メモリであるＥＥＰＲＯＭが好適に用いられる。
【０１７４】
なお、前記したように、最大表示輝度（Ｌｎ）は、式（１）で示すように表される。したがって、ＬＵＴは、ＬｙとＬｏとを与える形で用意してもよく、Ｌｙと、（Ｌｏ−Ｌｙ）とを与える形で用意してもよい。
【０１７５】
すなわち、表示装置１００は、式（４）を満足する画面照度（Ｅ）と平均輝度レベル（ＡＬＬ）と第１の最大表示輝度（Ｌｙ）との関係を示すＬＵＴと、式（５）を満足する画面照度（Ｅ）と平均輝度レベル（ＡＬＬ）と第２の最大表示輝度（Ｌｏ）との関係を示すＬＵＴとを記憶したＬＵＴ記憶部３１を備え、最大表示輝度演算部２３は、上記画面照度（Ｅ）と平均輝度レベル（ＡＬＬ）とから、ＬＵＴ記憶部３１に記憶されたＬＵＴを参照して最大表示輝度（Ｌｎ）を決定してもよい。
【０１７６】
また、表示装置１００は、式（４）を満足する画面照度（Ｅ）と平均輝度レベル（ＡＬＬ）と第１の最大表示輝度（Ｌｙ）との関係を示すＬＵＴと、式（４）および（５）を満足する画面照度（Ｅ）と平均輝度レベル（ＡＬＬ）と最大表示輝度差（Ｌｏ−Ｌｙ）との関係を示すＬＵＴとを記憶したＬＵＴ記憶部３１を備え、最大表示輝度演算部２３は、上記画面照度（Ｅ）と平均輝度レベル（ＡＬＬ）とから、ＬＵＴ記憶部３１に記憶されたＬＵＴを参照して最大表示輝度（Ｌｎ）を決定してもよい。
【０１７７】
したがって、本実施の形態では、ＬＵＴは、上記したようにＰＬｙとＰＬｏとを与える形で用意してもよく、ＰＬｙと、（ＰＬｏ−ＰＬｙ）とを与える形で用意してもよい。
【０１７８】
何れの場合にも、上記したようにＬＵＴを用いて最大表示輝度（Ｌｎ）を決定することで、安価な構成とすることができ、かつ短時間での処理が可能となる。
【０１７９】
また、前記したように式（１）、（４）、（５）（つまり、計算式）から演算により最大表示輝度（Ｌｎ）を決定する場合、ＬＵＴ記憶部３１を構成から除去することができるか、もしくは容量を小さくすることができる。
【０１８０】
なお、上記したようにＬＵＴを用いる場合、ＬＵＴに示す画面照度（Ｅ）間の画面照度（Ｅ）およびＬＵＴに示す平均輝度レベル（ＡＬＬ）間の平均輝度レベル（ＡＬＬ）に対応する最大表示輝度（ＰＬ）は、前後の画面照度（Ｅ）および平均輝度レベル（ＡＬＬ）の値からＬＵＴで得られる最大表示輝度（ＰＬ）から補間演算されて決定される。
【０１８１】
つまり、ＬＵＴに含まれない若年者向け最大表示輝度（ＰＬｙ）および高齢者向け最大表示輝度（ＰＬｏ）の値は、ＬＵＴから得られる値から補間演算されて決定される。これにより、ＬＵＴのサイズを縮小することができる。
【０１８２】
＜サンプル画像記憶部３２＞
また、観察者が上記したように設定値を選択する際には、設定値間の差異が良くわかるサンプル画像を表示部１に表示しておくことが好ましい。
【０１８３】
したがって、表示装置１００は、図１に示すように、記憶部として、上記ｍ個の設定値それぞれに対応付けられたサンプル画像を記憶するサンプル画像記憶部３２を備えていることが好ましい。
【０１８４】
この場合、表示制御回路２が、設定値受付部２２が受け付けた設定値に対応付けられたサンプル画像を、サンプル画像記憶部３２から読み込み、表示部１に表示させることで、観察者に、設定値間の差異を画像として示すことができる。
【０１８５】
なお、このとき、サンプル画像としては、設定値の差異がわかり易いものを数種類用意しておくことがより好ましい。また、設定値の差異がわかり易いように、設定値の変更前のサンプル画像と変更後のサンプル画像とを並べて表示させることがより好ましい。
【０１８６】
＜効果＞
以上のように、本実施の形態では、図２に示すように、画面照度（Ｅ）および平均輝度レベル（ＡＬＬ）から、式（４）および（５）に基づいて、最大表示輝度（Ｌｎ）の下限および上限となる、第１の最大表示輝度（Ｌｙ）と第２の最大表示輝度（Ｌｏ）とを決定し、これらの値と、これらの間の値をｍ個に分割した複数の輝度制御レベルそれぞれに対応付けられた任意の設定値ｎとから、表示部１の表示画面の最大表示輝度（Ｌｎ）を算出する。
【０１８７】
このように、本実施の形態によれば、単に高齢者向けには相対的に高輝度に表示したり、年齢で一律に輝度制御を決定したりするのではなく、各輝度制御レベルに対応付けられた、観察者が適切と考える設定値を選択することで、各観察者間の好みの差異を反映した表示を行うことができるとともに、視聴環境・条件を考慮した最適な表示輝度制御を行うことが可能となる。
【０１８８】
また、表示部１に実際に表示させる表示輝度を、若年者、高齢者のそれぞれに好適な表示輝度とすることができるだけでなく、その中間の年齢層までも含めた好適な輝度制御を行うことができる。
【０１８９】
したがって、本実施の形態によれば、観察者の年齢、視機能（例えば、観察者の年齢に対する視機能の変化）、観察者の好み、視聴条件等に応じて、最適かつ柔軟な輝度制御を行うことが可能となる。
【０１９０】
また、本実施の形態では、上記したように表示輝度の主観評価実験結果に基づいて表示輝度を制御するため、例えば特許文献２のように「眩しさを感じ始める」輝度に基づいて輝度制御を行う場合と比較して、低視覚負担および低消費電力化を図ることができ、より適切な輝度制御を行うことができる。
【０１９１】
また、本実施の形態によれば、好適輝度に大きな影響を及ぼす平均輝度レベル（ＡＬＬ）も考慮した輝度制御を行うため、より正確な輝度制御が可能となる。
【０１９２】
なお、第１の最大表示輝度（Ｌｙ）と第２の最大表示輝度（Ｌｏ）との間で好みの最大表示輝度を設定する場合、最大表示輝度の値を直接設定すると、値が細かくなり、中途半端な値となるため、設定が面倒になる。
【０１９３】
しかしながら、本実施の形態では、上記したように、第１の最大表示輝度（Ｌｙ）と第２の最大表示輝度（Ｌｏ）との間の値を、これら第１の最大表示輝度（Ｌｙ）および第２の最大表示輝度（Ｌｏ）を含むｍ個に分割して得られた複数の輝度制御レベルそれぞれに対応付けられた設定値から、観察者が設定した任意の設定値ｎに応じた輝度制御を行う。
【０１９４】
このとき、本実施の形態では、上記したように、Ｌｙ＝ＰＬｙ、Ｌｏ＝ＰＬｏとして、式（４）および（５）から演算される若年者向け最大表示輝度（ＰＬｙ）および高齢者向け最大表示輝度（ＰＬｏ）を、観察者が選択する表示部１の表示画面の最大表示輝度の下限および上限とする。
【０１９５】
したがって、本実施の形態によれば、必ず、若年者向け最大表示輝度（ＰＬｙ）と高齢者向け最大表示輝度（ＰＬｏ）との間で輝度制御を行うため、どのような設定値を入力しても、不適切な輝度制御を行うことがない。
【０１９６】
また、本実施の形態によれば、上記したように、ｍ個の設定値に対して、表示部１の表示画面の最大表示輝度（Ｌｎ）が、ＰＬｙとＰＬｏとの中間の値に初期設定されていたり、設定値に対応してサンプル画像が用意されていたりすることで、観察者が設定値を選択する際に、直感的かつ容易に、分割された輝度制御レベルの選択・調整が可能となる。
【０１９７】
＜変形例＞
なお、本実施の形態では、上述したように、表示装置１００が、図示しない入力データ供給源から、映像ソースとして、地上デジタル放送または地上アナログ放送等の放送信号、あるいは、ＤＶＤ等の入力信号を受信し、受信した映像ソースに応じた映像を表示部１の表示画面に表示するＴＶであることを前提として説明した。
【０１９８】
しかしながら、本実施の形態は、これに限定されるものではない。上記表示装置１００としては、パーソナルコンピュータ等の、表示部を有する各種電子機器であってもよい。上記表示装置１００は、観察者による設定値の入力による輝度制御が望まれる環境下で使用される各種表示装置に好適に使用することができ、ＴＶと同様の視聴距離で使用される表示装置に特に好適に用いることができる。
【０１９９】
また、上記映像ソースは、静止画であってもよいし、動画であってもよい。例えば、書籍（テキスト）、写真、スライドショーまたはワープロドキュメント等であってもよい。
【０２００】
〔実施の形態２〕
本実施の形態について、図９〜図１０に基づいて説明すれば以下の通りである。なお、本実施の形態では、実施の形態１との相違点について説明するものとし、同じ説明についてはこれを省略する。また、実施の形態１と同様の機能を有する構成要素には同一の番号を付し、その説明を省略する。
【０２０１】
前記したように、実施の形態１では、主観評価実験により、若年者２４名（平均年齢２２歳）の平均値および高齢者２４名（平均年齢７１歳）の平均値を用いて若年者向け最大表示輝度（ＰＬｙ）および高齢者向け最大表示輝度（ＰＬｏ）を決定し、この若年者向け最大表示輝度（ＰＬｙ）および高齢者向け最大表示輝度（ＰＬｏ）を、第１の最大表示輝度（Ｌｙ）および第２の最大表示輝度（Ｌｏ）として輝度制御を行った。
【０２０２】
しかしながら、図４〜図６を見てもわかるように、各観察者間によって、好適輝度には大きなバラツキがある。
【０２０３】
図４〜図６に示す結果から、大まかに言って、＋１σ（標準偏差）は平均値の２倍で、−１σは平均値の半分程度になる。
【０２０４】
従って、実施の形態１のように、最大表示輝度（Ｌｎ）をＰＬｙ〜ＰＬｏの範囲内に設定するよりも、上記した標準偏差を考慮し、例えばＰＬｙ／２〜２ＰＬｏの範囲内で設定する方が、より多くの観察者が好適と考える表示輝度に調整することができる。
【０２０５】
したがって、上記最大表示輝度演算部２３は、Ｌｙ＝ＰＬｙ／２、Ｌｏ＝２ＰＬｏとして、式（１）から表示画面の最大表示輝度を決定してもよい。
【０２０６】
しかしながら、２ＰＬｏはかなり高い輝度となり、消費電力の増大を招く。このため、上記最大表示輝度演算部２３は、Ｌｙ＝ＰＬｙ／２、Ｌｏ＝ＰＬｏとして、式（１）から表示画面の最大表示輝度を決定してもよい。
【０２０７】
また、輝度調整範囲の下限および上限である第１の最大表示輝度（Ｌｙ）および第２の最大表示輝度（Ｌｏ）を与える演算式は、上記した範囲内において選択することができるとともに、上記演算式に対応付けられた指定値を、観察者が選択して指定することができるようになっていてもよい。
【０２０８】
図９は、本実施の形態にかかる表示装置の要部の構成を示すブロック図である。
【０２０９】
図９に示す表示装置１００は、図１に示す構成に加えて、記憶部として演算式記憶部３３を備えるとともに、リモートコントローラにおける入力キーあるいは入力ボタン等の指定部８を備えている。また、輝度制御部６が、指定値受付部２５をさらに備えている。
【０２１０】
演算式記憶部３３は、式（１）において、Ｌｙ＝ＰＬｙ、Ｌｏ＝ＰＬｏとした第１演算式と、式（１）において、Ｌｙ＝ＰＬｙ／２、Ｌｏ＝ＰＬｏとした第２演算式と、式（１）において、Ｌｙ＝ＰＬｙ／２、Ｌｏ＝２ＰＬｏとした第３演算式とを記憶している。
【０２１１】
指定値受付部２５は、上記第１演算式〜第３演算式の何れかの演算式に対応付けられた指定値を受け付ける。
【０２１２】
観察者により選択された上記指定値は、上記表示装置１００に設けられた、リモートコントローラにおける入力キーあるいは入力ボタン等の指定部８から入力される。
【０２１３】
なお、指定値受付部２５により、上記第１演算式〜第３演算式の何れかの演算式に対応付けられた指定値を受け付ける指定値受付ステップは、前記した設定値受付ステップの前（つまり、平均輝度レベル演算ステップと設定値受付ステップの間）に行われることは、言うまでもない。
【０２１４】
これにより、本実施の形態によれば、上記第１の最大表示輝度（Ｌｙ）および第２の最大表示輝度（Ｌｏ）を与える演算式を、上記第１演算式〜第３演算式から選択することができる。
【０２１５】
なお、このとき、前記したように、２ＰＬｏはかなり高い輝度となり、消費電力の増大を招く。このため、２ＰＬｏの値はできれば避けたく、簡単には設定できないようにするか、上限値を設けるような工夫を盛り込むことが好ましい。
【０２１６】
例えば、始めに提示する輝度調整範囲を推奨範囲とし、上下限をＰＬｙ〜ＰＬｏの範囲、あるいはＰＬｙ／２〜ＰＬｏの範囲内で調整できるようにし、それでも輝度が足りないと感じる観察者のために、カスタマイズ設定画面等の別メニューを設けてＰＬｙ／２〜２Ｌｏの範囲で調整できるようにする等が考えられる。
【０２１７】
なお、始めに提示する輝度調整範囲を第１の推奨範囲（標準設定範囲）として上下限をＰＬｙ〜ＰＬｏの範囲の範囲とし、別メニューあるいは第１の推奨範囲と同画面において、第２の推奨範囲としてＰＬｙ／２〜ＰＬｏを選択できるようにし、それでも輝度が足りないと感じる観察者のために、さらに別メニューあるいは第１の推奨範囲とは異なる第２の推奨範囲と同画面で、ＰＬｙ／２〜２Ｌｏの範囲で調整できるようにしてもよい。
【０２１８】
なお、一例として、輝度調整範囲をＰＬｙ／２〜２Ｌｏとし、２０段階の設定値を設けた場合に、観察者が第ｎ番目の輝度制御レベルに対応する設定値ｎを選択したときの最大表示輝度（Ｌｎ）は、次式（１Ｃ）のように表わすことができる。
【０２１９】
Ｌｎ＝ＰＬｙ／２＋ｎ（２ＰＬｏ−ＰＬｙ／２）／２０…（１Ｃ）
したがって、ＬＵＴを用いて最大表示輝度（Ｌｎ）を決定する場合、ＬＵＴは、ＬｙおよびＬｏとして、ＰＬｙ／２および２ＰＬｏを与える形で用意してもよく、ＰＬｙ／２および（２ＰＬｏ−ＰＬｙ／２）を与える形で用意してもよく、ＰＬｙおよびＰＬｏを与える形で用意してもよい。
【０２２０】
なお、第３演算式において上限（つまり、第２の最大表示輝度（Ｌｏ）の上限）を設ける場合、上限輝度としては、２ＰＬｏ未満であれば、特に限定されるものではない。
【０２２１】
なお、上限輝度を、図６〜図８に示す高齢者の好適輝度平均値＋１標準偏差の最大値にほぼ相当する５００ｃｄ／ｍ２とした場合に２Ｐｏを与える、二次元の配列を有するＬＵＴの一例を図１０に示す。
【０２２２】
本実施の形態によれば、以上のように、上記第１の最大表示輝度（Ｌｙ）および第２の最大表示輝度（Ｌｏ）を与える演算式を、上記第１演算式〜第３演算式から選択することができることに加え、上記したように、輝度上限設定や、高い輝度設定をあえて難しくする操作設定により、低消費電力化を図ることができる。
【０２２３】
＜プログラム、コンピュータ読み取り可能な記録媒体＞
なお、上記各実施の形態における輝度制御部６の各手段（ブロック）は、ハードウェアロジックによって構成してもよいし、次のように、ＣＰＵ（Central Processing Unit）やＭＰＵ（Micro Processing Unit）を用いてソフトウェアによって実現してもよい。すなわち、上記輝度制御部６の各手段は、プログラムを用いて、コンピュータを上記の各手段として機能させることで、ソフトウェアによって実行してもよい。
【０２２４】
また、上記各実施の形態における輝度制御部６による輝度制御（すなわち、本発明にかかる輝度制御方法）の各ステップは、プログラムを用いて、コンピュータに、上記の各ステップを実行させることで、ソフトウェアによって実行してもよい。
【０２２５】
すなわち、輝度制御部６は、各機能（ステップ）を実現するプログラムの命令を実行するＣＰＵもしくはＭＰＵ、このプログラムを格納したＲＯＭ（Read Only Memory）、上記プログラムを実行可能な形式に展開するＲＡＭ（Random Access Memory）、および、上記プログラムおよび各種データを格納するメモリ等の記憶装置（記録媒体）等を備えている。
【０２２６】
本発明の目的は、上述した機能（ステップ）を実現するソフトウェアである、輝度制御部６の各部（各手段）の制御プログラムのプログラムコード（実行形式プログラム、中間コードプログラム、ソースプログラム）をコンピュータで読み取り可能に記録した記録媒体を、輝度制御部６の各部に供給し、そのコンピュータ（またはＣＰＵやＭＰＵ）が記録媒体に記録されているプログラムコードを読み出し実行することによっても、達成可能である。
【０２２７】
なお、プログラムコードを輝度制御部６に供給する記録媒体は、特定の構造または種類のものに限定されない。すなわち上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系等を用いることができる。
【０２２８】
また、上記輝度制御部６を通信ネットワークと接続可能に構成しても、本発明の目的を達成できる。この場合、上記のプログラムコードを、通信ネットワークを介して輝度制御部６に供給する。この通信ネットワークは輝度制御部６にプログラムコードを供給できるものであればよく、特定の種類または形態に限定されない。例えばインターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等であればよい。
【０２２９】
この通信ネットワークを構成する伝送媒体も、プログラムコードを伝送可能な任意の媒体であればよく、特定の構成または種類のものに限定されない。例えばＩＥＥＥ１３９４、ＵＳＢ（Universal Serial Bus）、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【０２３０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２３１】
本発明は、液晶ＴＶ等の表示装置に好適に利用することができる。
【符号の説明】
【０２３２】
１    表示部
１ａ  表示画面
２    表示制御回路
３    光源
４    光源駆動回路
５    画面照度検出部
６    輝度制御部
７    設定値指定部
８    指定部
１１    明るさセンサ
１２    画面照度算出部
２１    平均輝度レベル演算部
２２    設定値受付部
２３    最大表示輝度演算部
２４    光源出力演算部
２５    指定値受付部
３１    ＬＵＴ記憶部（ルックアップテーブル記憶部）
３２    サンプル画像記憶部
３３    演算式記憶部
４２    位置計測部
４１    角度
５１，５２，５３    観察者
５４，５５，５６    観視画角
１００    表示装置
【図１】
2013250284.tif 000004
【図２】
2013250284.tif 000005
【図３】
2013250284.tif 000006
【図４】
2013250284.tif 000007
【図５】
2013250284.tif 000008
【図６】
2013250284.tif 000009
【図７】
2013250284.tif 000010
【図８】
2013250284.tif 000011
【図９】
2013250284.tif 000012
【図１０】
2013250284.tif 000013